(57)【要約】      （修正有）【課題】支柱を支持ベースに取り付け／支持ベースから解除する操作がより迅速かつより簡単であり、また操作者にとって安全である、伸縮式支柱スタンドを提供する。【解決手段】伸縮式支持スタンド１が、長手軸Ｘに沿って延びる伸縮式支柱２と、支柱２のベース部分３ａを受け入れるように意図されたスリーブ１５を有する支持ベース１０であって、支柱２には、支柱２がスリーブ１５に結合された結合構成と支柱２がスリーブ１５から解除された解除構成との間で移行され得る結合デバイス３０が設けられる。端部分およびエッジは、支柱２がスリーブ１５に挿入されるときに相互作用するように構成され、当接要素を解除構成へと移動させるためのガイド手段およびカウンタ手段を形成する。【選択図】図１
0003195882.tif 000002
【実用新案登録請求の範囲】
【請求項１】
長手軸（Ｘ）に沿って延びる伸縮式支柱（２）と、前記支柱（２）のベース部分（３ａ）を受け入れるように意図されたスリーブ（１５）を有する支持ベース（１０）であって、エッジ（１５ａ）によって画定された開口が前記スリーブ（１５）に形成され、前記開口を通して前記支柱（２）が前記スリーブ（１５）に挿入され前記スリーブ（１５）から引き出される、支持ベース（１０）とを備え、前記支柱（２）は、前記支柱（２）が前記スリーブ（１５）に結合された結合構成（Ｗ）と前記支柱（２）が前記スリーブ（１５）から分離された解除構成（Ｗ’）との間で移行され得る結合デバイス（３０）を有する、伸縮式支持スタンド（１）であって、前記結合デバイス（３０）は、当接要素（３１）の端部分（４０）が前記支柱（２）から径方向に突出する前記結合構成（Ｗ）と、前記当接要素（３１）が前記支柱（２）の内部へ引っ込められた前記解除構成（Ｗ’）との間で前記支柱（２）内で径方向に移動可能な前記当接要素（３１）を備え、前記端部分（４０）および前記エッジ（１５ａ）は、前記スリーブ（１５）への前記支柱（２）の挿入中に相互作用するように、かつ、前記当接要素（３１）を前記解除構成（Ｗ’）へと移動させるためのガイド手段およびカウンタ手段を形成するように設計される、伸縮式支持スタンド（１）。
【請求項２】
前記端部分（４０）および前記エッジ（１５ａ）の少なくとも一方は、前記エッジ（１５ａ）および前記端部分（４０）の他方に面する位置にある壁（３１ａ、１５ｃ）を有し、前記壁（３１ａ、１５ｃ）は、前記当接要素（３１）を前記解除構成（Ｗ’）へと漸進的に移動させるために、前記長手軸（Ｘ）に対して傾けられ、前記エッジ（１５ａ）に対してまたは逆に前記端部分（４０）に対して摺動する形状にされる、請求項１に記載のスタンド。
【請求項３】
前記端部分（４０）および前記エッジ（１５ａ）の少なくとも一方は、前記エッジ（１５ａ）および前記端部分（４０）の他方に面する位置にある壁（３１ａ、１５ｃ）を有し、前記壁（３１ａ、１５ｃ）は、前記当接要素（３１）を前記解除構成（Ｗ’）へと漸進的に移行させるために、前記長手軸（Ｘ）に対して湾曲され、前記エッジ（１５ａ）に対してまたは逆に前記端部分（４０）に対して摺動する形状にされる、請求項１に記載のスタンド。
【請求項４】
前記結合デバイス（３０）は、前記当接要素（３１）に動作可能に関連付けられ、前記解除構成（Ｗ’）から前記結合構成（Ｗ）へと前記当接要素（３１）を押すように意図された、押し要素（３２）を備える、請求項１から３のいずれか１項に記載のスタンド。
【請求項５】
前記押し要素は、前記解除構成（Ｗ’）から前記結合構成（Ｗ）へと前記当接要素（３１）を押すように装着されたばね（３２）を備える、請求項４に記載のスタンド。
【請求項６】
前記結合デバイス（３０）は、前記結合構成（Ｗ）から前記解除構成（Ｗ’）へと前記当接要素（３１）を押すように、前記支柱（２）の前記長手軸（Ｘ）に沿って移動され得る作動要素（３３、３３ａ）をさらに備える、請求項１から５のいずれか１項に記載のスタンド。
【請求項７】
前記結合デバイス（３０）は、前記結合構成（Ｗ）から前記解除構成（Ｗ’）へおよびその逆の前記結合デバイス（３０）の移行を容易にしガイドするように適合された摺動手段およびカウンタ手段（３５ｃ）を備える、請求項１から６のいずれか１項に記載のスタンド。
【請求項８】
前記摺動手段は、前記作動要素（３３、３３ａ）に関連付けられたベース（３５ａ）と、前記当接要素（３１）の径方向の移動をガイドするように前記当接要素（３１）の対応する傾斜面上で前記結合構成（Ｗ）から前記解除構成（Ｗ’）へおよびその逆の移動で摺動することが意図された傾斜面（３５ｃ）とを有する、くさび（３５）を備える、請求項７に記載のスタンド。
【請求項９】
前記傾斜面（３５ｃ）と、前記当接要素（３１）の前記対応する傾斜面とは、好ましくは４０°から５０°の範囲である角度αで、前記長手軸（Ｘ）に対して傾けられる、請求項８に記載のスタンド。
【請求項１０】
前記支柱（２）に関連付けられ、前記結合デバイス（３０）が前記解除構成（Ｗ’）にあるときに前記くさび（３５）を結合する形状を受け入れる形状にされる摺動キャビティ（３７）を前記くさび（３５）に面する位置で画定する形状にされる、支持要素（３４）をさらに備える、請求項９に記載のスタンド。
【請求項１１】
前記支持ベースは、前記支柱（２）の前記長手軸（Ｘ）に沿って摺動可能なカラー（１３）と、前記スタンド（１）の前記スリーブ（１５）とにそれぞれヒンジ結合された複数の支持脚（１２、１４、１６）を備え、前記カラー（１３）には、前記カラー（１３）と前記支柱（２）との互いに対する摺動を可能にするまたは防止するために、前記支柱（２）に対して前記カラー（１３）を締め付けるまたは緩めるためのロックデバイス（１１）が設けられる、請求項１から１０のいずれか１項に記載のスタンド。
【考案の詳細な説明】
【技術分野】
【０００１】
本考案は、主請求項の前文に記載されている特徴を有する、ビデオ写真機器およびビデオ写真アクセサリを支持するために使用される支持スタンドに関する。
【０００２】
好ましくは、本考案による支持スタンドは、伸縮式支柱タイプの支持スタンドである。
【背景技術】
【０００３】
本考案によるスタンドは、ビデオ写真記録の分野、特に、様々なタイプのビデオ写真機器および／またはアクセサリを支持する必要性が知られるイベント分野で好ましい用途を有するが、それらに限定されない。
【０００４】
例えば、高さを調節することができるが、できるだけコンパクトに折り畳まれた構成である場所から別の場所へ容易に運搬し、所望の位置で容易に展開することができる支持体上で、照明または音響機器を支持する必要がある。
【０００５】
さらに、支柱スタンドが、地上で効果的かつ安定した支持をもたらし、また、スタンドが運搬され格納される段階では全体寸法ができるだけ小さくなる必要がある。
【０００６】
この目的のため、スタンドには、支柱にヒンジ結合された通常は３本の複数の支持脚が設けられ、それにより、使用時に、支持脚がスタンドのための適切な支持要素を形成するように支柱から展開され、必要な場合は、支持脚が支柱自体に折り畳まれて、スタンドの全体寸法を小さくするようになされる。
【０００７】
この目的のため、各脚は、使用時にともに支柱の外部に位置するカラーおよびスリーブにそれぞれヒンジ結合された２本のアームを備える。
【０００８】
スリーブは、支柱を受け入れかつ支持するような形状にされ、通常はその支持ベースに固定され、一方、カラーは、支柱を支持するように脚が支柱から延長されるスリーブに近い位置と、脚が支柱上に折り畳まれる遠位端との間を移動されるように、支柱に沿って摺動することができる。
【０００９】
カラーには、カラーを支柱に締め付け／支柱から解除して、支柱に沿ったカラーの移動を防止し／可能にし、所望の開いたまたは閉じた構成にスタンドをロックするためのねじロックデバイスが設けられる。
【００１０】
いくつかのバージョンでは、スリーブを支柱に取り付け／支柱から解除するための備えが、例えば、支持脚を使用して種々の支柱を支持する、単一の支柱を「キリン型（giraffe）」マイクホルダとして使用し、ほぼ水平位置で２つのアームでそれを保持する、または、スタンドが運搬されている間のスタンドの重さおよび寸法をさらに減少させるために、支柱が支持脚から分離され得るようになされる。
【００１１】
この場合、スリーブは、支柱をスリーブに固着する、または逆にスリーブと支柱との間の相対的な移動を可能にするために、スリーブを支柱にロックする／支柱から解除するように操作され得るねじ結合デバイスを備える。
【００１２】
便利ではあるが、ねじロックシステムはいくつかの欠点を有し、特に、支柱およびスリーブをロック／解除するために特別な長さの時間を要する。
【００１３】
支柱のロック／解除の操作はかなり長く、特に前述のように支柱の重みを支持する必要があるため、特に操作者にとって不便である。
【００１４】
したがって、特に、支柱および機器が重いとき、ならびにある動作構成から他の動作構成への変更が迅速である必要があるとき、脚を支柱から分離する操作、および支柱をスリーブに挿入し支柱をスリーブにロックする逆の操作が特に面倒になり得る。
【考案の概要】
【００１５】
本考案の基本的な課題は、引用された既知の技術を参照して説明された限界を克服するように構造的および機能的に設計された支柱スタンドを提供することである。
【００１６】
詳細には、本考案の１つの目的は、支柱を支持ベースに取り付け／支持ベースから解除する操作がより迅速かつより簡単であり、また操作者にとって安全である、支柱スタンドを提供することである。
【００１７】
この課題は、添付の実用新案登録請求の範囲に従って構成された支柱スタンドによって本考案を通して解決される。
【００１８】
本考案の特徴および利点は、添付の図面を参照して指示によって限定せずに例示される好ましい実施形態の詳細な説明からより明らかとなろう。
【図面の簡単な説明】
【００１９】
【図１】本考案によって構成された支柱スタンドの部分断面図。
【図２】図１内の細部の拡大図。
【図３】第２の作動構成における図２内の細部の概略図。
【図４】図１におけるスタンドの部分斜視図。
【図５】図１におけるスタンドのための支持ベースを上から見た図。
【図６】図５における支持ベースの細部を上から見た図。
【図７】図６における面ＶＩＩ−ＶＩＩに沿った断面図。
【考案を実施するための形態】
【００２０】
図において、１は、本考案に従って構成された支柱支持スタンドを全体として示す。
【００２１】
スタンド１は、より詳細に後述されるように、伸縮式支柱２の長手軸Ｘに沿って互いに対して動くことができるように隣接チューブ内に配置される複数のチューブ部分から形成される伸縮式支柱２と、地上でスタンド１のための安定した支持をもたらすための支持ベース１０とを備える。
【００２２】
チューブ部分は、外側部分３と、内側部分４と、複数の中間部分５とを備え、中間部分５の数は、特定の構造要件、および／またはスタンド１が届く必要がある高さに基づいて選択される。同様に、各部分３〜５の長さは、スタンド１が届く必要がある全体の高さに基づいて選択される。
【００２３】
部分３〜５は、スタンド１が、図１に示されるように、各チューブ部分が隣接部分のすべてに実質的に収容された収納構成と、チューブ部分が、隣接部分から大きく引き出された展開構成とから移行することが可能なように、互いから引き出され得る。
【００２４】
内側部分４には、その自由縁４ａにおいて、本考案によるスタンド１によって支持される必要があるビデオ写真機器の要素またはアクセサリのための取付け部材６が設けられる。
【００２５】
例えば、照明機器または音響機器あるいは他の機器のようなビデオ写真機器またはビデオ写真アクセサリは、前述のように、本考案によるスタンドを使用して支持され得る。
【００２６】
各部分３〜５には、それぞれが収容される隣接部分に対する各部分３〜５の移動を制限し、隣接部分に対する任意の所望の位置に部分３〜５をロックするための停止部材７も設けられる。
【００２７】
また、より詳細に後述されるように、使用時に地上に配置されるように設計され、支持される必要がある機器のための取付け部材６の反対側の部分にあるベース部分３ａにおいて、外側部分３には、外側部分３ひいては支柱２を支持ベース１０に結合するための結合デバイス３０が設けられる。
【００２８】
使用時に支持ベース１０に挿入されるように意図されたベース部分３ａは、自由縁３ｂによって境界をなし、支柱２のベースを形成する。
【００２９】
結合デバイス３０は、支柱２が支持ベース１０に挿入されると、支柱２を支持ベース１０に結合するように、結合デバイス３０が支持ベース１０とともに動作する、図３に示される結合構成Ｗと、結合デバイス３０がスリーブ１５と相互作用せず、支柱２が支持ベース１０から解除される、図１および２に示される解除構成Ｗ’との間で調節され得る。この構成において、より詳細に後述されるように、支柱２および支持ベース１０は、互いに対して移動して、さらに分離され得る。
【００３０】
支持ベース１０は、外側部分３を収容するように意図されたカラー１３と、支柱２が挿入されるスリーブ１５と、支持スタンド１を支持するように意図された、すべてが１２で示される３本の支持脚とを備える。
【００３１】
支持脚１２は、カラー１３およびスリーブ１５にそれぞれヒンジ結合されて、カラー１３およびスリーブ１５が、脚１２が、支柱２からある距離を隔て、スタンド１に必要な安定性を与えるように位置付けられる、図１および４に示される展開位置と、脚１２が、スタンド１の全体寸法を小さくするように支柱２に沿って横たわる、移送および収納に有用な折畳み位置（図示せず）との間で移動するようになされる。
【００３２】
カラー１３は、支持脚１２の構成を変更するように支柱２の長手軸Ｘに沿って摺動することができる。
【００３３】
各支持脚１２は、第１のアーム１４の第１の端部１４ａにおいてカラー１３にヒンジ結合され、他端部１４ｂにおいて脚１２の第２のアーム１６の中間部分１６ｃにヒンジ結合された第１のアーム１４を備える。
【００３４】
図では部分的にのみ示される第２のアーム１６は、その第１の端部１６ａにおいて、スリーブ１５にヒンジ結合され、図示されない他端部において、地上でのスタンド１の安定性を向上するように意図された、やはり図示されない支持脚を備える。
【００３５】
第２のアーム１６は、スタンド１の安定性をさらに増大するために伸縮式にすることができる。
【００３６】
支持ベース１０はまた、カラー１３を外側部分３にロックし／外側部分３から解除して、カラー１３と外側部分３との相対的移動を防止し／可能にし、外側部分３および支持ベース１０を所望の動作構成にロックするためのロックデバイス１１を、カラー１３上に備える。
【００３７】
カラー１３は、脚１２の第１のアーム１４の第１の端部１４ａがヒンジ結合される環状部材１７を備え、支柱２を収容するための収容キャビティ１８を形成するような形状にされ、収容キャビティ１８の断面は、カラー１３を支柱２にロックし／支柱２から解除するようにロックデバイス１１を介して変更され得る。
【００３８】
図示のバージョンにおいて、環状部材１７は、環状部材１７の両端部１７ａ、１７ｂが、ロックデバイス、図示のバージョンでは、ねじロックデバイス１１に関連付けられる開放環の形状であり、ロックデバイスの操作を介して、環状部材１７の両端部１７ａ、１７ｂが、収容キャビティ１８のサイズを変化させるように離れる／合わさるように移動されて、カラー１３と支柱２との間の相対的移動を可能にする／防止する。
【００３９】
環状部材１７の両端部１７ａ、１７ｂがある距離で互いに離れているとき、カラー１３は、支柱２上を長手軸Ｘの方向に摺動することができる。このようにして、第１のアーム１４の第１の端部１４ａが外側部分３に沿って移動され、支持ベース１０の脚１２の形態が結果として変更される。
【００４０】
逆に、環状部材１７の両端部１７ａ、１７ｂが一緒にされると、カラー１３は支柱２上の所望の位置に配置され、脚１２は対応する所望の構成にロックされる。
【００４１】
支持ベース１０のスリーブ１５は、長手方向の両端において一般的に開いた円筒形状を有し、使用時にカラー１３に面し、支柱２がスリーブ１５に挿入されスリーブ１５から取り除かれる開口８を画成する、第１のエッジ１５ａと、使用時に地面に面する第２の反対側エッジ１５ｂとの間を延びている。
【００４２】
また、スリーブ１５は、支柱２を収容する収容キャビティ２０をスリーブ１５の内側面１９が画成するような形状にされ、収容キャビティ２０は、長手軸Ｘの方向に、使用時にカラー１３に面するベーススリーブ１５の部分によって形成される第１のキャビティ部分２１と、使用時に地面に面するベーススリーブ１５の部分によって形成され、第１のキャビティ部分２１より大きい断面を有する第２のキャビティ部分２２とを備える。
【００４３】
第１のキャビティ部分２１と第２のキャビティ部分２２との間の長手方向に中間の位置において、図示のバージョンでは、内側面１９から受入れキャビティ２０に向かって突出する突出部の形状をした、停止部材２３も提供される。
【００４４】
したがって、第１のキャビティ部分２１は、第１のエッジ１５ａと停止部材２３との間に画成され、第２のキャビティ部分２２は、停止部材２３と第２のエッジ１５ｂとの間に画成される。
【００４５】
第２のキャビティ部分２２は、より詳細に後述されるように、支柱を支持ベース１０に結合する結合位置Ｗにおいて結合デバイス３０を用いて支柱２を収容するような寸法にされる一方、第１のキャビティ部分２１は、逆に、解除位置Ｗ’において結合デバイス３０を用いて支柱２を収容するような寸法にされる。停止部材２３は、より詳細に後述されるように、図２および３の矢印Ｆによって示される方向においてスリーブ１５に対する支柱２の移動を防止するために、外側部分３の結合デバイス３０に当接する。
【００４６】
また、第２のキャビティ部分２２内に設けられ、内側面１９から第２のキャビティ部分２２内に突出し、支柱２がスリーブ１５に挿入されたときに支柱２に対する支持部材を提供する、３つの支持歯２４が、ベーススリーブ１５の内側面１９上に設けられる。
【００４７】
支持歯２４は、使用時に地面に面するスリーブの停止部材２３とエッジ１５ｂとの間の長手方向に中間の位置に設けられる。
【００４８】
歯２４は、内側面１９上に円周状に離間して配置され、必須ではないが好ましくは等間隔に離間される。図示されない他のバージョンでは、３以外の数、例えば４つの支持歯が設けられてもよい。
【００４９】
支柱２の結合デバイス３０は、当接歯３１の端部分４０が支柱２から径方向に突出する図３に示される結合構成Ｗと、当接歯３１が支柱２内に引っ込められた図１および２に示される解除構成Ｗ’との間で、図３の矢印Ｆ１の両方の方向に支柱２内で径方向に移動することができる、本実施形態では当接歯によって形成された当接要素３１を備える。
【００５０】
当接歯３１の端部分４０は、支柱２がスリーブ１５に挿入されると、スリーブ１５の第１のエッジ１５ａと相互作用することができる。
【００５１】
端部分４０は、支柱２がスリーブ１５に挿入されたときに第１のエッジ１５ａに面する湾曲壁３１ａを備え、湾曲壁３１ａは、結合位置Ｗから解除位置Ｗ’へ当接歯３１を漸進的に押すように、支柱２がスリーブ１５に挿入されたときに第１のエッジ１５ａに対して移動するような形状にされる。
【００５２】
図示しないバージョンでは、壁３１ａは、支柱２がスリーブ１５に挿入されたときに第１のエッジ１５ａに対して摺動するように傾けられ得る。
【００５３】
当接歯３１に面する部分において、第１のエッジ１５ａには、結合位置Ｗから解除位置Ｗ’へ当接歯３１を漸進的に押すように、支柱２がスリーブ１５に挿入されたときに当接歯３１の摺動を助長するように傾斜または湾曲した壁が設けられうる。
【００５４】
端部分４０と第１のエッジ１５ａとの互いに対向する壁の間に少なくとも１つの傾斜または湾曲した壁を設けることにより、支柱２がスリーブ１５に挿入されたときに、結合位置Ｗから解除位置Ｗ’への当接歯３１の移動をガイドすることが可能になる。
【００５５】
したがって、端部分４０と第１のエッジ１５ａとの互いに対向する壁は、支柱２がスリーブ１５に挿入されたときに結合位置Ｗから解除位置Ｗ’への当接歯３１の移動をガイドするためのガイド手段およびカウンタ手段を形成する。
【００５６】
支柱２がスリーブ１５に挿入されたとき、結合構成Ｗでは、当接歯３１が、支柱２をスリーブ１５に結合するスリーブ１５の内側面１９に当接し、解除構成Ｗ’では、当接歯３１がスリーブ１５の内側面１９から離れるように移動され、支柱がスリーブ１５に対して移動され得る。
【００５７】
結合デバイス３０はまた、支柱２から外方に突出するように当接歯３１を押すように配置されて当接歯３１に関連付けられた、または支柱２に対して径方向に突出する端部分４０に関連付けられたスラスト要素を備える。
【００５８】
図示のバージョンでは、スラスト要素は、結合構成Ｗに当接歯３１を押し入れるように装着されたばね３２を備える。
【００５９】
したがって、より詳細に後述されるように、支柱２が支持ベース１０に挿入されるとき、ばね３２の力によって、当接歯３１が、スリーブ１５の内側面１９に当接するように押される。
【００６０】
結合デバイス３０はまた、より詳細に後述されるように、ばね３２の力に対向する当接歯３１の径方向の移動を生じるように支柱２の長手軸Ｘの方向に移動され得る作動要素３３を備える。
【００６１】
より詳細に後述されるように、作動要素３３に作用することによって、結合構成Ｗから解除構成Ｗ’へ当接歯３１を移動させることが可能である。
【００６２】
図示のバージョンでは、作動要素３３は、外側部分３の自由縁３ｂに設けられる作動押しボタン３３ａを備え、結合構成Ｗから解除構成Ｗ’へ当接歯３１を移動させるために図３の矢印Ｆの方向に移動され得る。
【００６３】
作動押しボタン３３ａは、自由縁３ｂから外側部分３の内部に向かって突出し、かつくさび３５の形状にされた可動部材を備え、くさび３５のベース３５ａは作動押しボタン３３ａに固定され、くさび３５の先端３５ｂは外側部分３内に突出する。くさび３５は、その径方向の寸法が作動押しボタン３３ａに向かって漸進的に増大するように構成される。
【００６４】
くさび３５は、作動押しボタン３３ａが結合構成Ｗと解除構成Ｗ’との間で移動されるときに、当接歯３１上に設けられた図示されない対応する傾斜面上を摺動するように意図された傾斜面３５ｃを、ベース３５ａと先端３５ｂとの間に備える。
【００６５】
くさび３５の傾斜面３５ｃおよび当接歯３１の傾斜面は、結合デバイス３０における作動押しボタン３３ａおよび当接歯３１の移動を助長しガイドすることができる摺動手段およびカウンタ手段を形成する。
【００６６】
解除構成Ｗ’に配置された矢印Ｆの方向に作動押しボタン３３ａが押されると、くさび３５が同様に支柱２の内部に向けて押され、当接歯３１に対応する径方向で傾斜面３５ｃの寸法が増大し、傾斜面３５ｃが、支柱２の内部に向けて当接歯３１を漸進的に押すように、当接歯３１の対応する傾斜面に対して、ばね３２により加えられた力と反対の力を加える。
【００６７】
結合デバイス３０が結合構成Ｗと解除構成Ｗ’との間の移行およびその逆をするとき、くさび３５および当接歯３１の傾斜面は、結合デバイス３０の移行をガイドするように互いに対して摺動する。
【００６８】
前述のように、この摺動により、それぞれ支柱２の内部に向かう、または逆に支柱２の外部に向かう当接歯３１の径方向の移動が生じる。
【００６９】
くさび３５の傾斜面３５ｃおよび当接歯３１の傾斜面は、好ましくは１５°と７５°の間であって４０°と５０°の間が好ましい角度αで長手軸に対して傾けられる。
【００７０】
傾斜面を設けることにより、くさび３５と当接歯３１との間の相対的移動または作動要素３３ａの動作を改善することが可能になる。
【００７１】
傾斜面を設けることにより、結合構成Ｗと解除構成Ｗ’との間の結合デバイス３０の移行を助長すること、および使用者による支柱２の解除を支援することが可能になる。
【００７２】
結合デバイス３０はまた、外側部分３内に設けられ、くさび３５の反対の位置に摺動キャビティ３７を形成するような形状にされた支持要素３４を備え、摺動キャビティ３７は、くさび３５の形状を受け入れそれと結合するような形状にされている。
【００７３】
作動押しボタン３３ａが解除構成Ｗ’にあるとき、くさび３５が実質的に摺動キャビティ３７内に挿入され、対応する対向面が互いに当接し、当接歯３１が支柱２内に挿入され、後者がベーススリーブ１５から滑り出されるように矢印Ｆの方向に移動され得る。
【００７４】
作動押しボタン３３ａが結合構成Ｗにあるとき、くさび３５が摺動キャビティ３７内に部分的に挿入され、対応する対向面が互いにある距離を置き、当接歯３１の端部分４０が、支柱２に対して径方向に突出し、支柱２がスリーブ１５に挿入されたときにスリーブ１５の内側面１９に当接する。この構成では、支柱２が支持ベース１０にロックされる。
【００７５】
使用者によって作動押しボタン３３ａに力が加えられないとき、当接歯３１に作用するばね３２は、支柱２外の後者および作動押しボタン３３を矢印Ｆ２の方向に移動させ、すなわち、結合デバイスを結合構成Ｗに配置する。
【００７６】
これにより、より詳細に後述されるように、支柱２が支持ベース１０に自動的に結合されることが可能になり、スタンド１の安全性が増す。
【００７７】
逆に、支柱２を支持ベース１０から解除するために、結合デバイス３０に作用して、それを解除構成Ｗ’にするために、ばね３２の力を打ち勝つように作動押しボタン３３に対して矢印Ｆの方向に力を加える必要がある。
【００７８】
したがって、支柱２は、ベース１０から不注意に解除されるのを防止される。
【００７９】
作動押しボタン３３は、使用者から手が届くことが可能なように、また同時に、作動押しボタン３３の望ましくない操作が防止されるように、支柱２上の適切な位置に設けられる。
【００８０】
図示のバージョンでは、支柱２が支持体１０に挿入されたときに、作動押しボタン３３が地面に面するスリーブ１５の近くに配置され得るように、作動押しボタン３３は外側部分３の自由縁３ｂに位置付けられる。
【００８１】
支持脚１２の形態のおかげで、作動押しボタン３３は、地面より高くされており、したがって、使用者から手が届くが、スタンド１が使用される際に何らかの事故の影響を受けることがない。
【００８２】
支持ベース１０のスリーブ１５は、通常は、プラスチック材料またはアルミニウムからなり、鋳造によって作製される。
【００８３】
プレス段階において支持歯２４を製造するために、図示されないチャネルがスリーブ１５の内側面１９に作られる。支柱２がスリーブ１５から望まれない摺動をすることを防止するために、当接歯３１の幅はチャネルの幅より大きくなければならない。
【００８４】
図示されないスタンド１のバージョンでは、結合デバイスは、支持ベースのスリーブ上に設けられ、支柱の一部分を支持ベース１０に結合するように意図される。
【００８５】
やはり、この場合、結合デバイスは、支柱が支持ベースに挿入されると、支柱を支持ベースに結合するように、結合デバイスが支柱とともに動作する結合構成と、結合デバイスが支柱と相互作用しない解除構成との間で移行され得る。
【００８６】
結合デバイスは、当接要素を備えることができ、この場合、結合構成において、支柱に当接するように当接歯の端部分がスリーブ内で径方向に突出し、解除構成において、それが支柱と相互作用しないように当接歯がスリーブ内に配置されるように、当接要素が、やはりスリーブ内で径方向に移動することができる当接歯によって形成され得る。このバージョンでは、支柱の外側面には、それのベース部分において、結合構成で当接歯を受け入れるためのキャビティと、長手軸の方向のスリーブに対する支柱の移動を防止するために当接歯に当接することができる停止部材とが設けられる。
【００８７】
この場合、やはり、支柱がスリーブに挿入されたとき、結合位置から解除位置への当接歯の移動をガイドするために、少なくとも１つの傾斜または湾曲した壁が、端部分とスリーブの第１のエッジとの互いに面する壁の間に設けられる。
【００８８】
やはり、このバージョンにおいても、結合デバイスは、当接歯がスリーブ内で突出するように当接歯を押すように配置された、当接歯に関連付けられたスラスト要素をさらに備える。
【００８９】
やはり、このバージョンにおいても、スラストの動作に対向する当接歯の径方向の移動を生じるように、すなわち結合構成から解除構成へ、移行させられ得る、スリーブに関連付けられた結合デバイスのための作動要素が設けられる。
【００９０】
スタンド１を使用するために、使用者は、支柱２を支持ベース１０に挿入し、結合デバイス３０が結合位置Ｗにあり、そこで当接歯３１の端部分４０が支柱２に対して径方向に突出し、支柱２は、まずカラー１３、次いでスリーブ１５内にある。
【００９１】
支柱２が、矢印Ｆ２によって示される方向でスリーブ１５に挿入されると、端部分４０またはその湾曲壁３１ａは、スリーブ１５の第１のエッジ１５ａに当接する。
【００９２】
矢印Ｆ２の方向に支柱２を漸進的に押すことが、スリーブ１５の第１のエッジ１５ａと端部分の湾曲壁との間の相対的移動を生じさせ、それが、当接歯３１を支柱２の内部に向けて漸進的に押して最終的に解除構成Ｗ’に入れる。
【００９３】
湾曲壁３１ａは、支柱２内の当接歯３１の移動を支援する形状にされる。
【００９４】
支柱２のベーススリーブ１５内への挿入が継続するのに従って、当接歯３１は、まずキャビティ部分２１の位置に移動され、次いで停止部材２３に打ち勝ち、したがって、前述のように第１のキャビティ部分２１より大きな断面を有する第２のキャビティ部分２２へ移動される。
【００９５】
支柱２が支持歯２４で支持されるとき、当接歯３１は、第２のキャビティ部分２２に対応して配置され、ばね３２の力によって、支柱２に対して径方向に突出することができ、したがって、端部分４０が第２のキャビティ部分２２に当接する。支柱２が支持歯２４で支持されるので、結合デバイス３０は、使用者の側でさらにいかなる行為も必要とされることなく、ばね３２によって結合構成Ｗへ移行される。
【００９６】
この配置において、停止部材２３が、矢印Ｆによって示される方向における支柱２の移動を防止する一方、逆方向の移動は支持歯２４によって防止され、支柱２は、支持ベース１０に安定して結合される。
【００９７】
支持ベース１０を支柱２から解除することが望まれる場合、上部スリーブ１３を移動させた後、作動押しボタン３３ａに作用して、矢印Ｆの方向にボタンを押し、くさび３５を摺動キャビティ３７に漸進的に挿入するように解除位置Ｗ’にボタンを移動させる必要がある。
【００９８】
この移動の後、くさび３５は当接歯３１の面上を移動する。当接歯３１の対応する傾斜面上を移動するくさび３５の傾斜面は、支柱２内の当接歯３１を漸進的に移動させて、スリーブ１５の内側面１９から漸進的に離れるように移動させる。
【００９９】
作動押しボタン３３ａを解除位置Ｗ’に保持することによって、矢印Ｆの方向に支柱２を移動させてスリーブ１５から引き出すことが可能である。
【０１００】
停止部材２３が克服された後、または当接歯３１が第１のキャビティ部分２１の位置にあるときに、矢印Ｆの方向に支柱２を移動させることで、ばね３２の推力にかかわらず、第１のキャビティ部分２１の形態によって結合デバイス３０が結合構成Ｗをとることが防止されるため、作動押しボタン３３ａを解除すること、および支柱２の摺動を継続することが可能である。
【０１０１】
支柱がスリーブ１５から引き出されると、ばね３２は、支柱２に対して径方向に突出するように当接歯３１の端部分を押す。
【０１０２】
作動押しボタン３３を設けることで支柱２の解除を支援する。
【０１０３】
したがって、本考案は、引用された既知の技術を参照して説明された前述の問題を克服する。
【図１】
0003195882.tif 000003
【図２】
0003195882.tif 000004
【図３】
0003195882.tif 000005
【図４】
0003195882.tif 000006
【図５】
0003195882.tif 000007
【図６】
0003195882.tif 000008
【図７】
0003195882.tif 000009
【手続補正書】
【提出日】平成26年11月27日(2014.11.27)
【手続補正１】
【補正対象書類名】実用新案登録請求の範囲
【補正対象項目名】全文
【補正方法】変更
【補正の内容】
【実用新案登録請求の範囲】
【請求項１】
長手軸（Ｘ）に沿って延びる伸縮式支柱（２）と、前記支柱（２）のベース部分（３ａ）を受け入れるように意図されたスリーブ（１５）を有する支持ベース（１０）であって、エッジ（１５ａ）によって画定された開口が前記スリーブ（１５）に形成され、前記開口を通して前記支柱（２）が前記スリーブ（１５）に挿入され前記スリーブ（１５）から引き出される、支持ベース（１０）とを備え、前記支柱（２）は、前記支柱（２）が前記スリーブ（１５）に結合された結合構成（Ｗ）と前記支柱（２）が前記スリーブ（１５）から分離された解除構成（Ｗ’）との間で移行され得る結合デバイス（３０）を有する、伸縮式支持スタンド（１）であって、前記結合デバイス（３０）は、当接要素（３１）の端部分（４０）が前記支柱（２）から径方向に突出する前記結合構成（Ｗ）と、前記当接要素（３１）が前記支柱（２）の内部へ引っ込められた前記解除構成（Ｗ’）との間で前記支柱（２）内で径方向に移動可能な前記当接要素（３１）を備え、前記端部分（４０）および前記エッジ（１５ａ）は、前記スリーブ（１５）への前記支柱（２）の挿入中に相互作用するように、かつ、前記当接要素（３１）を前記解除構成（Ｗ’）へと移動させるため、前記端部分（４０）と前記エッジ（１５ａ）との間に少なくとも１つの傾斜又は湾曲した壁を設けた、伸縮式支持スタンド（１）。
【請求項２】
前記端部分（４０）および前記エッジ（１５ａ）の少なくとも一方は、前記エッジ（１５ａ）および前記端部分（４０）の他方に面する位置にある壁（３１ａ、１５ｃ）を有し、前記壁（３１ａ、１５ｃ）は、前記当接要素（３１）を前記解除構成（Ｗ’）へと漸進的に移動させるために、前記長手軸（Ｘ）に対して傾けられ、前記エッジ（１５ａ）に対してまたは逆に前記端部分（４０）に対して摺動する形状にされる、請求項１に記載のスタンド。
【請求項３】
前記端部分（４０）および前記エッジ（１５ａ）の少なくとも一方は、前記エッジ（１５ａ）および前記端部分（４０）の他方に面する位置にある壁（３１ａ、１５ｃ）を有し、前記壁（３１ａ、１５ｃ）は、前記当接要素（３１）を前記解除構成（Ｗ’）へと漸進的に移行させるために、前記長手軸（Ｘ）に対して湾曲され、前記エッジ（１５ａ）に対してまたは逆に前記端部分（４０）に対して摺動する形状にされる、請求項１に記載のスタンド。
【請求項４】
前記結合デバイス（３０）は、前記当接要素（３１）に動作可能に関連付けられ、前記解除構成（Ｗ’）から前記結合構成（Ｗ）へと前記当接要素（３１）を押すように意図された、押し要素（３２）を備える、請求項１から３のいずれか１項に記載のスタンド。
【請求項５】
前記押し要素は、前記解除構成（Ｗ’）から前記結合構成（Ｗ）へと前記当接要素（３１）を押すように装着されたばね（３２）を備える、請求項４に記載のスタンド。
【請求項６】
前記結合デバイス（３０）は、前記結合構成（Ｗ）から前記解除構成（Ｗ’）へと前記当接要素（３１）を押すように、前記支柱（２）の前記長手軸（Ｘ）に沿って移動され得る作動要素（３３、３３ａ）をさらに備える、請求項１から５のいずれか１項に記載のスタンド。
【請求項７】
前記結合デバイス（３０）は、前記結合構成（Ｗ）から前記解除構成（Ｗ’）へおよびその逆の前記結合デバイス（３０）の移行を容易にしガイドするように、傾斜面（３５Ｃ）を有するくさび（３５）を備える、請求項１から６のいずれか１項に記載のスタンド。
【請求項８】
＿前記作動要素（３３、３３ａ）に関連付けられたベース（３５ａ）と、前記当接要素（３１）の径方向の移動をガイドするように前記当接要素（３１）の対応する傾斜面上で前記結合構成（Ｗ）から前記解除構成（Ｗ’）へおよびその逆の移動で摺動することが意図された傾斜面（３５ｃ）とを有する、くさび（３５）を備える、請求項７に記載のスタンド。
【請求項９】
前記傾斜面（３５ｃ）と、前記当接要素（３１）の前記対応する傾斜面とは、好ましくは４０°から５０°の範囲である角度αで、前記長手軸（Ｘ）に対して傾けられる、請求項８に記載のスタンド。
【請求項１０】
前記支柱（２）に関連付けられ、前記結合デバイス（３０）が前記解除構成（Ｗ’）にあるときに前記くさび（３５）を結合する形状を受け入れる形状にされる摺動キャビティ（３７）を前記くさび（３５）に面する位置で画定する形状にされる、支持要素（３４）をさらに備える、請求項９に記載のスタンド。
【請求項１１】
前記支持ベースは、前記支柱（２）の前記長手軸（Ｘ）に沿って摺動可能なカラー（１３）と、前記スタンド（１）の前記スリーブ（１５）とにそれぞれヒンジ結合された複数の支持脚（１２、１４、１６）を備え、前記カラー（１３）には、前記カラー（１３）と前記支柱（２）との互いに対する摺動を可能にするまたは防止するために、前記支柱（２）に対して前記カラー（１３）を締め付けるまたは緩めるためのロックデバイス（１１）が設けられる、請求項１から１０のいずれか１項に記載のスタンド。
【手続補正２】
【補正対象書類名】明細書
【補正対象項目名】０１０３
【補正方法】変更
【補正の内容】
【０１０３】
したがって、本考案は、引用された既知の技術を参照して説明された前述の問題を克服する。
なお、出願当初の実用新案登録請求の範囲に記載の事項を、そのまま付記しておく。
［１］
長手軸（Ｘ）に沿って延びる伸縮式支柱（２）と、前記支柱（２）のベース部分（３ａ）を受け入れるように意図されたスリーブ（１５）を有する支持ベース（１０）であって、エッジ（１５ａ）によって画定された開口が前記スリーブ（１５）に形成され、前記開口を通して前記支柱（２）が前記スリーブ（１５）に挿入され前記スリーブ（１５）から引き出される、支持ベース（１０）とを備え、前記支柱（２）は、前記支柱（２）が前記スリーブ（１５）に結合された結合構成（Ｗ）と前記支柱（２）が前記スリーブ（１５）から分離された解除構成（Ｗ’）との間で移行され得る結合デバイス（３０）を有する、伸縮式支持スタンド（１）であって、前記結合デバイス（３０）は、当接要素（３１）の端部分（４０）が前記支柱（２）から径方向に突出する前記結合構成（Ｗ）と、前記当接要素（３１）が前記支柱（２）の内部へ引っ込められた前記解除構成（Ｗ’）との間で前記支柱（２）内で径方向に移動可能な前記当接要素（３１）を備え、前記端部分（４０）および前記エッジ（１５ａ）は、前記スリーブ（１５）への前記支柱（２）の挿入中に相互作用するように、かつ、前記当接要素（３１）を前記解除構成（Ｗ’）へと移動させるためのガイド手段およびカウンタ手段を形成するように設計される、伸縮式支持スタンド（１）。
［２］
前記端部分（４０）および前記エッジ（１５ａ）の少なくとも一方は、前記エッジ（１５ａ）および前記端部分（４０）の他方に面する位置にある壁（３１ａ、１５ｃ）を有し、前記壁（３１ａ、１５ｃ）は、前記当接要素（３１）を前記解除構成（Ｗ’）へと漸進的に移動させるために、前記長手軸（Ｘ）に対して傾けられ、前記エッジ（１５ａ）に対してまたは逆に前記端部分（４０）に対して摺動する形状にされる、［１］に記載のスタンド。
［３］
前記端部分（４０）および前記エッジ（１５ａ）の少なくとも一方は、前記エッジ（１５ａ）および前記端部分（４０）の他方に面する位置にある壁（３１ａ、１５ｃ）を有し、前記壁（３１ａ、１５ｃ）は、前記当接要素（３１）を前記解除構成（Ｗ’）へと漸進的に移行させるために、前記長手軸（Ｘ）に対して湾曲され、前記エッジ（１５ａ）に対してまたは逆に前記端部分（４０）に対して摺動する形状にされる、［１］に記載のスタンド。
［４］
前記結合デバイス（３０）は、前記当接要素（３１）に動作可能に関連付けられ、前記解除構成（Ｗ’）から前記結合構成（Ｗ）へと前記当接要素（３１）を押すように意図された、押し要素（３２）を備える、［１から３］のいずれか１項に記載のスタンド。
［５］
前記押し要素は、前記解除構成（Ｗ’）から前記結合構成（Ｗ）へと前記当接要素（３１）を押すように装着されたばね（３２）を備える、［４］に記載のスタンド。
［６］
前記結合デバイス（３０）は、前記結合構成（Ｗ）から前記解除構成（Ｗ’）へと前記当接要素（３１）を押すように、前記支柱（２）の前記長手軸（Ｘ）に沿って移動され得る作動要素（３３、３３ａ）をさらに備える、［１から５］のいずれか１項に記載のスタンド。
［７］
前記結合デバイス（３０）は、前記結合構成（Ｗ）から前記解除構成（Ｗ’）へおよびその逆の前記結合デバイス（３０）の移行を容易にしガイドするように適合された摺動手段およびカウンタ手段（３５ｃ）を備える、［１から６］のいずれか１項に記載のスタンド。
［８］
前記摺動手段は、前記作動要素（３３、３３ａ）に関連付けられたベース（３５ａ）と、前記当接要素（３１）の径方向の移動をガイドするように前記当接要素（３１）の対応する傾斜面上で前記結合構成（Ｗ）から前記解除構成（Ｗ’）へおよびその逆の移動で摺動することが意図された傾斜面（３５ｃ）とを有する、くさび（３５）を備える、［７］に記載のスタンド。
［９］
前記傾斜面（３５ｃ）と、前記当接要素（３１）の前記対応する傾斜面とは、好ましくは４０°から５０°の範囲である角度αで、前記長手軸（Ｘ）に対して傾けられる、［８］に記載のスタンド。
［１０］
前記支柱（２）に関連付けられ、前記結合デバイス（３０）が前記解除構成（Ｗ’）にあるときに前記くさび（３５）を結合する形状を受け入れる形状にされる摺動キャビティ（３７）を前記くさび（３５）に面する位置で画定する形状にされる、支持要素（３４）をさらに備える、［９］に記載のスタンド。
［１１］
前記支持ベースは、前記支柱（２）の前記長手軸（Ｘ）に沿って摺動可能なカラー（１３）と、前記スタンド（１）の前記スリーブ（１５）とにそれぞれヒンジ結合された複数の支持脚（１２、１４、１６）を備え、前記カラー（１３）には、前記カラー（１３）と前記支柱（２）との互いに対する摺動を可能にするまたは防止するために、前記支柱（２）に対して前記カラー（１３）を締め付けるまたは緩めるためのロックデバイス（１１）
が設けられる、［１から１０］のいずれか１項に記載のスタンド。